【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
筒状をなす本体と、前記本体先端に設けられた塗布体と、少なくとも前記塗布体を覆うキャップとを備え、前記本体内部には粘度が１，０００（ｍＰａ・ｓ）〜１００，０００（ｍＰａ・ｓ）の塗布液を収容する塗布液収容空間とを備え、
前記塗布液収容空間を後端側から封止するピストン体と、
前記ピストン体後方から連結する軸状部材とを備えて、前記ピストン体を前進させることによって前記本体内部の塗布液を加圧する液体加圧機構を具備し、該液体加圧機構により塗布液を本体先端に設けられた塗布体へと供給するようにした液体塗布具において、
筒状構造の先軸が、塗布面の形成された塗布体先端部を突出させた状態で該塗布体を収容しかつ本体先端に固定し、
塗布体は、前記塗布液収容空間から塗布液の吐出口に通じるように連通路が塗布体の内部に形成されていると共に、塗布体先端部が、前記吐出口からさらに先端へ突出して設けられた略平面の塗布面を有し、塗布面鉛直方向かつ軸芯方向断面を塗布面横方向から見て先細り形状の、扁平な液密性あるゴムまたはエラストマーからなる弾性体からなり、
前記略平面の塗布面の略上方向の開口する吐出口を略平面の塗布面略中央に有し、
前記吐出口から塗布体先端までの距離Ｌは、１（ｍｍ）≦Ｌ≦２０（ｍｍ）の寸法範囲内にあり、
塗布面略中央部の幅Ｗは２（ｍｍ）≦Ｗ≦２０（ｍｍ）の寸法範囲内にあり、かつ、前記塗布体は、その先端より３（ｍｍ）の部分の垂直方向反発力が０．０１（Ｎ）〜１．４０（Ｎ）であることを特徴とする液体塗付具。
【請求項２】
前記軸状部材の外周部に備わる雄ネジ部と螺合する雌ネジ部を中心に持つネジ体と、回転操作部材と、を更に備えることを特徴とする請求項１に記載の液体塗布具。
【請求項３】
前記回転操作部材は、前記軸状部材と軸方向に摺動可能かつ相対回転方向には回動不能であって、使用者の操作によって前記軸状部材を前記ネジ体に対して相対回転させる、回転操作部材であることを特徴とする請求項２に記載の液体塗布具。
【請求項４】
前記回転操作部材は、前記ネジ体と相対回転方向には回動不能であって、使用者の操作によって前記ネジ体を前記軸状部材に対して相対回転させる、回転操作部材であることを特徴とする請求項２に液体塗布具。
【請求項５】
前記ネジ体および前記回転操作部材の噛み合わせ部に歯状のラチェットが形成されて、前記回転操作部材が前記ネジ体に対して一方向のみ回転規制することを特徴とする請求項２から４のうちの１項に記載の液体塗布具。
【請求項６】
前記ネジ体および前記回転操作部材の噛み合わせ部に歯状のラチェットが形成されて、前記回転操作部材が前記ネジ体に対して双方向に回転可能であることを特徴とする請求項２から４のうちの１項に記載の液体塗布具。
【請求項７】
前記液密性のある弾性材は、連続気泡を有しない弾性体からなることを特徴とする請求項１から６のうちの１項に記載の液体塗布具。
【請求項８】
塗布体には、前端が連通路に連通する中空部が内部に形成され、
先軸の後端部内部にパイプ継手が嵌入し、このパイプ継手前端と先軸内側の段部とによって塗布体後端のフランジ部分を挟みつけて塗布体を本体先端に位置決めし、
パイプ継手の中空内周部から塗布体の中空部内に中空のパイプ体を嵌入しており、
塗布液収容空間内の塗布液が液体加圧機構によって加圧された際に、塗布液が、パイプ継ぎ手、パイプ体の内部および連通路を経由して吐出口から塗付面に出るようにしていることを特徴とする請求項１から７のうちの１項に記載の液体塗布具。
【手続補正２】
【補正対象書類名】明細書
【補正対象項目名】０００７
【補正方法】変更
【補正の内容】
【０００７】
本発明は、筒状をなす本体と、前記本体先端に設けられた塗布体と、少なくとも前記塗布体を覆うキャップとを備え、前記本体内部には粘度が１，０００（ｍＰａ・ｓ）〜１００，０００（ｍＰａ・ｓ）の塗布液を収容する塗布液収容空間とを備え、
前記塗布液収容空間を後端側から封止するピストン体と、
前記ピストン体後方から連結する軸状部材とを備えて、前記ピストン体を前進させることによって前記本体内部の塗布液を加圧する液体加圧機構を具備し、該液体加圧機構により塗布液を本体先端に設けられた塗布体へと供給するようにした液体塗布具において、
筒状構造の先軸が、塗布面の形成された塗布体先端部を突出させた状態で該塗布体を収容しかつ本体先端に固定し、
塗布体は、前記塗布液収容空間から塗布液の吐出口に通じるように連通路が塗布体の内部に形成されていると共に、塗布体先端部が、前記吐出口からさらに先端へ突出して設けられた略平面の塗布面を有し、塗布面鉛直方向かつ軸芯方向断面を塗布面横方向から見て先細り形状の、扁平な液密性あるゴムまたはエラストマーからなる弾性体からなり、
前記略平面の塗布面の略上方向の開口する吐出口を略平面の塗布面略中央に有し、
前記吐出口から塗布体先端までの距離Ｌは、１（ｍｍ）≦Ｌ≦２０（ｍｍ）の寸法範囲内にあり、
塗布面略中央部の幅Ｗは２（ｍｍ）≦Ｗ≦２０（ｍｍ）の寸法範囲内にあり、かつ、前記塗布体は、その先端より３（ｍｍ）の部分の垂直方向反発力が０．０１（Ｎ）〜１．４０（Ｎ）であることを特徴とする液体塗付具である。
本発明において、前記軸状部材の外周部に備わる雄ネジ部と螺合する雌ネジ部を中心に持つネジ体と、回転操作部材と、を更に備えることが好適である。
また、本発明において、前記回転操作部材は、前記軸状部材と軸方向に摺動可能かつ相対回転方向には回動不能であって、使用者の操作によって前記軸状部材を前記ネジ体に対して相対回転させる、回転操作部材であることが好適である。
本発明において、前記回転操作部材は、前記ネジ体と相対回転方向には回動不能であって、使用者の操作によって前記ネジ体を前記軸状部材に対して相対回転させる、回転操作部材であることが好適である。
【手続補正３】
【補正対象書類名】明細書
【補正対象項目名】０００９
【補正方法】変更
【補正の内容】
【０００９】
また、本発明において、前記液密性のある弾性材は、連続気泡を有しない弾性体からなることが好適である。
また、本発明において、塗布体には、前端が連通路に連通する中空部が内部に形成され、先軸の後端部内部にパイプ継手が嵌入し、このパイプ継手前端と先軸内側の段部とによって塗布体後端のフランジ部分を挟みつけて塗布体を本体先端に位置決めし、パイプ継手の中空内周部から塗布体の中空部内に中空のパイプ体を嵌入しており、塗布液収容空間内の塗布液が液体加圧機構によって加圧された際に、塗布液が、パイプ継ぎ手、パイプ体の内部および連通路を経由して吐出口から塗付面に出るようにしていることが好適である。
【手続補正４】
【補正対象書類名】明細書
【補正対象項目名】００１０
【補正方法】変更
【補正の内容】
【００１０】
本発明の液体塗布具によれば、塗布体が、前記塗布液収容空間から塗布液の吐出口に通じるように連通路が塗布体の内部に形成されていると共に、塗布体先端部が、前記吐出口からさらに先端へ突出して設けられた略平面の塗布面を有し、塗布面鉛直方向かつ軸芯方向断面を塗布面横方向から見て先細り形状の、扁平な液密性あるゴムまたはエラストマーからなる弾性体からなり、前記略平面の塗布面には、略上方に向き常時開港状態に会場のるものであって、前記塗布体を、その先端より３（ｍｍ）の部分の垂直方向反発力が０．０１〜１．４０（Ｎ）としたので、使用性がよく塗りムラの少ない塗布体とすることができるという優れた作用効果を奏する。